(57)【要約】  デイスプレイ構造体用接続装置(１)は、デイスプレイ構造体の可変断面の部材の周りに配置可能なスリーブ（1a）と、このスリーブを部材でクランプするクランプ手段（１０）とを備える。このクランプ手段は、スリーブとの間を移動可能な少なくとも１のジョー（１１）と、摺動して、この動作を形成することができるそれぞれのカム（１４）と、を備え、このカムは、スリーブの半径方向軸（Ｙ）に沿って移動して、部材の断面に応じて、ジョーの位置を変えることができる。
2005511978.tif 000002
【特許請求の範囲】
【請求項１】
デイスプレイ構造体の可変断面の部材の周りに配置可能なスリーブ（1a）と、このスリーブを部材でクランプするクランプ手段（１０）とを備え、このクランプ手段が、スリーブとの間を移動可能な少なくとも１のジョー（１１）を含む、デイスプレイ構造体用接続装置であって、クランプ手段は、摺動して、少なくとも１のジョー（１１）をスリーブ（1a）との間で移動させることができるそれぞれのカム（１４）を備え、このそれぞれのカムは、スリーブの半径方向軸（Ｙ）に沿って移動し、部材の断面に応じて、少なくとも１のジョーの位置を変えることができることを特徴とする接続装置。
【請求項２】
前記ジョー（１１）の２つは、反射対称状に互いに対向して配置され、それぞれの各カム（１４）は、部材の断面間の差の半分にほぼ等しい距離（Ｈ）だけ半径方向に離隔した第１操作位置と少なくとも１の第２操作位置との間を移動可能である請求項１に記載の装置。
【請求項３】
それぞれのカム（１４）のガイド手段が、スリーブ（1a）に設けられ、第１操作位置と少なくとも１の第２操作位置との間でのカムの移動を案内し、前記ガイド手段は、カムの連節ピン（１５）がその中で摺動自在に係合する少なくとも１のチャンネル（１９）を備える請求項２に記載の装置。
【請求項４】
クランプ手段は、それぞれのカム（１４）から延びてカムを摺動させる操作レバー（１６）を備える前記１以上の請求項に記載の装置。
【請求項５】
操作レバー（１６）は、ほぼスリーブ（1a）の輪郭内に収容される請求項４に記載の装置。
【請求項６】
スリーブ（1a）は、部材の周りで取り外し自在に閉止することが可能であり、スリーブ（1a）は、第１端部で互いに連接された２つのシェル（２，３）と、これら２つのシェル（２，３）の対向端部（2a, 3a）のそれぞれに配置された係合手段および相補係合手段（４）とを備える前記１以上の請求項に記載の装置。
【請求項７】
係合手段および相補係合手段は、スナップ係合型である請求項６に記載の装置。
【請求項８】
クランプ手段は、前記端部に対して中央位置で、シェル（２，３）に対称状に配置される請求項６または請求項７に記載の装置。
【請求項９】
スリーブ（1a）は、クランプ手段の領域で対称状に拡大した断面を、端部の領域で対称状に幅狭の断面を有する請求項８に記載の装置。
【発明の詳細な説明】
【技術分野】
【０００１】
本発明は、主請求項前文に記載のデイスプレイ構造体用接続装置に関する。
【背景技術】
【０００２】
本発明は、特定の適用例であるが、その長さに沿って断面が異なる、管状部材がその中で使用されるデイスプレイ構造体の一部をセットアップする場合に限られない。これは、典型的にはこの分野で広く使用されている自己支持ピラー(self-supporting pillars)での場合である。事実、これらのピラーは、伸縮構造であることから、例えば、床と天井との間に、加圧下で延ばすことによって、異なる高さの部屋に合うように適合させることができる。
【０００３】
自己支持ピラーの伸縮構造は、上述の使用上の汎用性を許容するが、このタイプの構造体に要求される汎用性を損なわないように、ピラーの異なる断面に適合させることができる接続装置の使用を必要とする。
【０００４】
接続シェルフまたはフレームのようなデイスプレイ構造体の横方向部材の支持および接続点を形成するのがその機能であるこのタイプの装置は、例えば、出願人の製品から知られており；この装置は、ピラーの周りに配置され、かつ、その長さに沿って摺動可能なスリーブと、このスリーブをピラーでクランプする手段と、を備える。上述の機能上の条件を満たすために、クランプ手段は、ねじ手段によってピラーに対し半径方向に移動可能な一対の対向ジョーを備える。しかし、これらのクランプ手段は、使用の際、実際的でなく、美的にあまり満足するものではない。
【発明の概要】
【０００５】
本発明の主たる課題は、上記先行技術を参照して上述されている制約を構造的かつ機能的に克服するように設計されたデイスプレイ構造体用接続装置を提供することである。
【０００６】
この課題の範囲内で、本発明の他の目的は、比較的軽量で満足させる外観の装置を提供することである。
【０００７】
この課題およびこの目的は、添付特許請求の範囲に記載された特長を有する接続装置に関する本発明によって達成される。
【発明を実施するための最良の形態】
【０００８】
本発明の特長および利点は、添付図面を参照して非制限的実施形態として記載されている好ましい実施形態の詳細な説明からより明らかとなるであろう。
【０００９】
図中、本発明に従って形成されたデイスプレイ構造体用接続装置の全体が１で示されている。接続装置１は、対向凹部を有し、かつ、それぞれの第１端部で互いに連接されて軸Ｘを中心として枢動する一対のシェル２，３を含む操作可能なスリーブ１aを備える。シェル２，３は、それぞれの対向自由端部2a, 3aに、係合手段および相補係合手段４のそれぞれを備え、スリーブ1aの開閉を許容する。
【００１０】
係合手段および相補係合手段４は、スナップ係合型であり、端部2aから突出し、かつ、シェル３の端部3aに形成されたそれぞれのシート６に取り外し可能に収納される一対のほぼ並行なフック５を備えるのが好ましい。シート６は、フック５に係合し、フックが偶発的に滑り出るのを防止する形状を有する。更に、フックは、添付図面に示されていない弾性手段によってそれぞれのシート６に係合するように付勢され、押しボタン７によって開かれる。
【００１１】
シェル２，３は、接続装置１が閉止位置（図２）に枢動したときに、円形断面の中央貫通孔８が、その間に形成され、同様な断面の部材、例えば、デイスプレイ構造体の自己支持ピラー（図示せず）を収容することができる形状を有する。
【００１２】
スリーブ1aを部材に所望の位置で強固に固定するために、装置１は、それぞれ、それぞれのシェル２，３の中央位置に形成されたそれぞれのシート１２に収容された、双方共、１１で示す２つのジョーを含むクランプ手段１０を備える。ジョー１１は、対称状に配置されて、スリーブ1aが閉止位置にあるときに、互いに対向し、半径方向軸Ｙに沿って、それぞれのシート１２内でスリーブ1aとの間を摺動可能であり、従って、シェル２，３から大きくあるいは小さく突出する延伸位置と後退位置とを形成する。各ジョー１１は、シート１２に収容されかつジョーとスリーブ1aとの間に作用する弾性手段（図示せず）によって後退位置に弾性的に付勢される。
【００１３】
クランプ手段１０は、更に、各ジョー１１に対して、カム１４を備え、このカムは、ジョーに当接し、ピン１５で連接されて、軸Ｘに平行なそれぞれの軸Ｚを中心として摺動する。カム１４が、軸Ｚを中心として摺動するとき、その偏心により、ジョー１１は、それに当接して、延伸位置に向けて半径方向に移動する。
【００１４】
カム１４の摺動を容易にするために、操作レバー１６が、そこからジョー１１から離隔した側に延びている。ジョー１１がカム１４によって延伸位置に移動したときに、レバー１６は、それぞれのシェル２，３の輪郭内に形成されたシート１７に収容されるのが有利である。
【００１５】
特に図２を参照すると、シェル２および３は、クランプ手段１０が配設されるその中央部で拡大断面を有し、その端部領域で狭い断面を有することに留意されたい。従って、装置１は、かなり全体重量が小さく、ほぼ楕円形状の外形を形成する。
【００１６】
また、係合手段が、フィッテイング、例えば、デイスプレイ構造体のシェルフまたは横方向バーをスリーブ1aに接続するために、装置１に設けられる。これらの係合手段は、シェル２および３のそれぞれに形成され、軸Ｘに並行に延びる、断面があり形状の凹部１８を備える。全ての凹部１８は、スリーブ1aの同じ端部で開いているが、反対側端部で閉じている。
【００１７】
凹部１８は、クランプ手段１０とシェル２，３の端部との間の互いに対向する位置に配置されて、より良いバランスで荷重が装置１に加わるのを許容することに留意されたい。
【００１８】
本発明の主たる特徴によれば、各カム１４は、第１操作位置と第２操作位置との間を、スリーブ1aの半径方向軸に沿って、それぞれのシェル２，３に対して移動可能である。この目的のために、カム１４のガイド手段が、各シェル２，３に設けられ、その中でピン１５の対向端部が係合して摺動する一対のチャンネル１９を備える。
【００１９】
チャンネル１９は、ジョー１１に向かって開き（図５）かつその中でピン１５の端部がその中で当接しうる２つのポケット状シート20a, 20bを形成する形状を有している。ポケット状シート20a, 20bは、装置１が取り付けられるデイスプレイ構造体の部材の断面間の差の半分にほぼ等しい距離Ｈだけ、半径方向に離隔している。特に、伸縮構造の自己支持ピラーの場合、距離Ｈは、それぞれの管状部材の半径間の差に等しくなる。
【００２０】
接続装置１を、異なる断面を有するデイスプレイ構造体部材に装着するために、スリーブ1aは、シェル２，３を、軸Ｘを中心として相対的に枢動させかつ係合手段４をスナップ閉止することによって、部材の周りに配置される。カム１４は、その後、装置１が取り付けられる点での部材の断面に従って、（ピン１５がポケット状シート20aまたは20bのそれぞれに収容されることに対応して、）第１操作位置または第２操作位置に移動する。
【００２１】
この位置決めは、ジョー１１に作用する弾性手段に抗してそれぞれのレバー１６を手動で作動させることによって行われる。
【００２２】
その後、レバー１６を、それぞれの軸Ｚを中心として部材に対して枢動させることによって、カム１４が対応して枢動し、それぞれのジョー１１が延伸位置に移動する。ジョーが当接することによって、装置１は、デイスプレイ構造体の部材に摩擦によって強固に取り付けられる。装置１は、所望の位置に取り付けられると、凹部１８に好適に係合した２つのフィッテイングを支えることができる。
【００２３】
レバー１６がジョー１１の閉止位置に枢動すると、レバーは、スリーブの輪郭内のシート１７に収容され、従って、偶発的衝突の可能性を制限することに留意されたい（図１および２）。
【００２４】
装置１を取り外すには、レバー１６を持ち上げて、それぞれのジョー１１を後退位置に戻すだけで十分であり、（これは弾性手段の作用によっても容易化される）。スリーブ1aは、その後、押しボタン７を作動させることによって開くことができる。
【００２５】
上述の好ましい実施形態において、装置１は、デイスプレイ構造体の部材の２つの異なる断面に適合するように設計されているが、本発明が基礎とする原理は、十分な数の好適に離隔したポケット状シートを設けることによって、３以上の異なる断面を有する部材に連結する接続装置を製作するためにも使用可能であることは明らかである。
【００２６】
従って、本発明は、使用上のかなりの実用性とデイスプレイ構造体に取り付けるに際しての優れた適合性を併せ持って、上記目的を達成する。本発明の他の利点は、楕円形状によっても高められる魅力的な全体的美的効果である。
【図面の簡単な説明】
【００２７】
【図１】本発明に従い形成されたデイスプレイ構造体用接続装置の上方からの斜視図。
【図２】図１の装置の平面図。
【図３】図１の装置の正面図。
【図４】図３の線ＩＶ−ＩＶに沿う断面図。
【図５】図１の装置の一部の図４と同様な断面図。
【図１】
2005511978.tif 000003
【図２】
2005511978.tif 000004
【図３】
2005511978.tif 000005
【図４】
2005511978.tif 000006
【図５】
2005511978.tif 000007
【国際調査報告】
2005511978.tif 000008
2005511978.tif 000009